【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
蛍光体層及び陽極電極を内面に有する前面基板と、
電子源を内面に有して前記前面基板と所定の間隔をもって対向する背面基板と、
前記前面基板と背面基板との間で表示領域を周回して介挿され、前記所定の間隔を保持する支持体と、
前記前面基板と背面基板間の前記表示領域内に配置された複数の間隔保持部材と、
この間隔保持部材の端面と前記前面基板及び背面基板とをそれぞれ接着する接着部材と、
前記支持体の端面と前記前面基板及び背面基板とをそれぞれ気密封着する封着部材を有してなる画像表示装置であって、
前記間隔保持部材は前記背面基板側に導電膜を備え、この導電膜は前記接着部材で覆われていることを特徴とする画像表示装置。
【請求項２】
前記背面基板は、一方向に延在し該一方向と直交する他方向に並設されて前記他方向に走査信号が順次印加される複数の走査信号配線と、
前記他方向に延在し前記走査信号配線に交差する如く前記一方向に並設された複数の画像信号配線と、前記走査信号配線と前記画像信号配線の各交差部付近に設けられた電子源と、この電子源と前記走査信号配線とを接続する給電電極とを備えたことを特徴とする請求項１に記載の画像表示装置。
【請求項３】
前記間隔保持部材は前記走査信号配線と重畳してこの走査信号配線と同一方向に延在配置されていることを特徴とする請求項２に記載の画像表示装置。
【請求項４】
前記接着部材は導電性を有することを特徴とする請求項１乃至３の何れかに記載の画像表示装置。
【請求項５】
前記導電膜は前記間隔保持部材の前記背面基板に対向する底面に配置したことを特徴とする請求項１乃至４の何れかに記載の画像表示装置。
【請求項６】
前記導電膜は前記底面から側面に亘って配置したことを特徴とする請求項１乃至４の何れかに記載の画像表示装置。
【請求項７】
前記導電膜は前記底面の一部に配置したことを特徴とする請求項１乃至４の何れかに記載の画像表示装置。
【請求項８】
前記導電膜は１〜１００Ωの抵抗値を有することを特徴とする請求項１乃至７の何れかに記載の画像表示装置。
【請求項９】
前記導電膜はアルミニウムからなることを特徴とする請求項１乃至８の何れかに記載の画像表示装置。
【請求項１０】
前記間隔保持部材は１０8〜１０9Ω・ｃｍの抵抗値を有することを特徴とする請求項１乃至９の何れかに記載の画像表示装置。
【請求項１１】
前記間隔保持部材はセラミックス材からなり、かつ全長が２００ｍｍ以下であることを特徴とする請求項１乃至１０の何れかに記載の画像表示装置。
【請求項１２】
前記接着部材はフリットガラスを含むことを特徴とする請求項１乃至１１の何れかに記載の画像表示装置。
【請求項１３】
前記間隔保持部材の前記前面基板に対向する頂面に前記導電膜より低導電性の薄膜層を配置したことを特徴とする請求項１乃至１２の何れかに記載の画像表示装置。
【請求項１４】
蛍光体層及び陽極電極を内面に有する前面基板と、
電子源を内面に有して前記前面基板と所定の間隔をもって対向する背面基板と、
前記前面基板と背面基板との間で表示領域を周回して介挿され、前記所定の間隔を保持する支持体と、
前記前面基板と背面基板間の前記表示領域内に配置された複数の間隔保持部材と、
この間隔保持部材の端面と前記前面基板及び背面基板とをそれぞれ接着する接着部材と、
前記支持体の端面と前記前面基板及び背面基板とをそれぞれ気密封着する封着部材を有し、
前記表示領域を真空に保持してなる画像表示装置の製造方法であって、
前記表示領域の排気時に前記間隔保持部材の前記背面基板と対向する部分を局部加熱することを特徴とする画像表示装置の製造方法。
【請求項１５】
前記局部加熱は前記間隔保持部材の前記背面基板側に配置した導電膜の自己加熱によることを特徴とする請求項１４に記載の画像表示装置の製造方法。
【請求項１６】
蛍光体層及び陽極電極を内面に有する前面基板と、
電子源を内面に有して前記前面基板と所定の間隔を持って対向する背面基板と、
前記前面基板と背面基板との間で表示領域を周回して介挿され、前記所定の間隔を保持する支持体と、
前記前面基板と背面基板間の前記表示領域に配置された複数の間隔保持部材と、
この間隔保持部材と前記前面基板を接着する接着部材と、
前記前面基板と前記背面基板とを前記支持体を介して気密封着する封着部材を有してなる画像表示装置であって、
前記間隔保持部材は前記前面基板側に薄膜層を備え、この薄膜層は前記接着部材で覆われていることを特徴とする画像表示装置。
【手続補正２】
【補正対象書類名】明細書
【補正対象項目名】００１２
【補正方法】変更
【補正の内容】
【００１２】
【特許文献１】特開平７−６５７１０号公報
【特許文献２】特開平１０−１５３９７９号公報
【特許文献３】特許第３３０５１６６号公報
【特許文献４】米国特許第６２２５７３７号明細書
【非特許文献１】ｊ．Ｖａｃ．Ｓｃｉ．Ｔｅｃｈｏｎｏｌ．Ｂ１１（２）ｐ．４２９−４３２（１９９３）
【非特許文献２】ｈｉｇｈ−ｅｆｆｉｃｉｅｎｃｙ−ｅｌｅｃｔｒｏ−ｅｍｉｓｓｉｏｎ  ｄｅｖｉｃｅ、Ｊｐｎ．Ｊ．Ａｐｐｌ．Ｐｈｙｓ．、ｖｏｌ３６、ｐＬ９３９
【非特許文献３】Ｅｌｅｃｔｒｏｌｕｍｉｎｅｓｃｅｎｃｅ、応用物理  第６３巻、第６号、５９２頁
【非特許文献４】応用物理  第６６巻、第５号、４３７頁
【手続補正３】
【補正対象書類名】明細書
【補正対象項目名】００１５
【補正方法】変更
【補正の内容】
【００１５】
上記課題は、低電圧側の電極（背面基板側）に接着部材を介して固定されるスペーサの底面に導電膜を配置し、この導電膜を前記接着部材で覆うことで解決される。
【手続補正４】
【補正対象書類名】明細書
【補正対象項目名】００１６
【補正方法】変更
【補正の内容】
【００１６】
本発明によると、低電圧側である背面基板側のスペーサ底面に導電膜を配置したことで、スペーサの帯電防止を図ることが出来、又、排気効率を高め、しかも排出されたガスがパネル内に再吸着され難くなって高真空を確保できる。更に、導電膜が接着部材で覆われ表示領域に露呈しないことで、高圧側との短絡を阻止でき、ガス放出を促進して排気効率を高め長寿命化を図ることができる。更に、スパークの発生を防止でき、耐電圧特性の向上が図れる。そして、長寿命で高輝度、高信頼性の画像表示装置を得ることが出来る。
【手続補正５】
【補正対象書類名】明細書
【補正対象項目名】００１７
【補正方法】変更
【補正の内容】
【００１７】
本発明によると、薄膜電子源を備えたことにより、ビーム収束性に優れ、また電子源の表面汚染の問題も解決でき、電子放出特性に優れると共に、長寿命で信頼性の高い画像表示装置を得ることが出来る。
【手続補正６】
【補正対象書類名】明細書
【補正対象項目名】００１８
【補正方法】変更
【補正の内容】
【００１８】
本発明によると、スペーサが走査信号配線と重畳してこの走査信号配線と同一方向に延在配置されていることで、電子源や画像信号配線等の電極類の損傷を防止できる。
【手続補正７】
【補正対象書類名】明細書
【補正対象項目名】００２０
【補正方法】変更
【補正の内容】
【００２０】
本発明によると、接着部材が導電性を有することで、スペーサの帯電を防止して耐電圧特性の優れた画像表示装置を得ることが出来る。
【手続補正８】
【補正対象書類名】明細書
【補正対象項目名】００２１
【補正方法】変更
【補正の内容】
【００２１】
本発明によると、前記導電膜を低電圧側の背面基板に近接した位置に配置したことで、両基板間の所望の導通を確保して、スペーサの帯電防止を図ることが出来、又、脱ガス効果を高め、しかも排出されたガスがパネル内に再吸着され難くなって高真空を確保でき、長寿命で高輝度、高信頼性の画像表示装置を得ることが出来る。
【手続補正９】
【補正対象書類名】明細書
【補正対象項目名】００２２
【補正方法】変更
【補正の内容】
【００２２】
本発明によると、導電膜をスペーサ底面の一部に配置したことで、前記発明の効果に加え廉価である。
【手続補正１０】
【補正対象書類名】明細書
【補正対象項目名】００２３
【補正方法】変更
【補正の内容】
【００２３】
本発明によると、導電膜が１〜１００Ω抵抗値を有することで、スペーサの有無に係わらず配線抵抗値を略均一とすることが出来、配線抵抗値の差に起因する特性の変動を抑制出来る。
【手続補正１１】
【補正対象書類名】明細書
【補正対象項目名】００２４
【補正方法】変更
【補正の内容】
【００２４】
本発明によると、導電膜がアルミニウムからなることで、性状が安定して取り扱いが容易であると共に廉価である。
【手続補正１２】
【補正対象書類名】明細書
【補正対象項目名】００２５
【補正方法】変更
【補正の内容】
【００２５】
本発明によると、スペーサが１０8〜１０9Ω・ｃｍ抵抗値を有することで、両基板間の耐電圧特性の確保が図れる。
【手続補正１３】
【補正対象書類名】明細書
【補正対象項目名】００２６
【補正方法】変更
【補正の内容】
【００２６】
本発明によると、スペーサがセラミックス材からなり、かつその全長が２００ｍｍ以下であることで、スペーサの取り扱いが容易になり、機械的強度の確保が可能となる。
【手続補正１４】
【補正対象書類名】明細書
【補正対象項目名】００２７
【補正方法】変更
【補正の内容】
【００２７】
本発明によると、接着部材がフリットガラスを含むことで、ガス放出量が他の接着材料に比べて少なく、又、温度管理も容易である。
【手続補正１５】
【補正対象書類名】明細書
【補正対象項目名】００２８
【補正方法】変更
【補正の内容】
【００２８】
本発明によると、スペーサの頂面（前記基板に対向する部分）に前記導電膜より低導電性の薄膜層を配置したことで、両基板間の電位分布が滑らかとなり、所望の電子軌道を確保できる。
【手続補正１６】
【補正対象書類名】明細書
【補正対象項目名】００２９
【補正方法】変更
【補正の内容】
【００２９】
本発明によると、排気時にスペーサの底面（背面基板と対向する部分）を局部加熱することで、ガス放出効果を高めると共に放出ガスの再吸着を防止して高真空を確保でき、長寿命で高輝度、高信頼性の画像表示装置を得ることが出来る。
【手続補正１７】
【補正対象書類名】明細書
【補正対象項目名】００３３
【補正方法】変更
【補正の内容】
【００３３】
この支持体３と両基板１、２及び封着部材５で囲まれた空間は前記排気管４を介して排
気され、例えば１０-3〜１０-5Ｐａの真空度を保持して表示領域６を構成している。又、前記排気管４は前述のように前記背面基板１の外表面に取り付けられてこの背面基板１を貫通して穿設された貫通孔７に連通しており、排気完了後前記排気管４は封止される。８は画像信号配線で、この画像信号配線８は背面基板１の内面にＹ方向に延在しＸ方向に並設されている。９は走査信号配線で、この走査信号配線９は前記画像信号配線８上でこれと交差するＸ方向に延在しＹ方向に並設されている。１０は電子源で、この電子源１０は前記走査信号配線９と画像信号配線８の各交差部付近に設けられ、走査信号配線９と電子源１０とは接続電極１１で接続されている。又、前記画像信号配線８と前記走査信号配線９間には層間絶縁膜ＦＴＲが配置されている。
【手続補正１８】
【補正対象書類名】明細書
【補正対象項目名】００４２
【補正方法】変更
【補正の内容】
【００４２】
これらの蛍光体としては、例えば赤色としてＹ2Ｏ2Ｓ：Ｅｕ（Ｐ２２−Ｒ）を、緑色としてＺｎＳ：Ｃｕ，Ａｌ（Ｐ２２−Ｇ）、青色としてＺｎＳ：Ａｇ，Ｃｌ（Ｐ２２−Ｂ）を用いることができる。
この蛍光面構成で、前記電子源１０から放射される電子を加速し、対応する画素を構成する蛍光体層１５に射突させる。これにより、該蛍光体層１５が所定の色光で発光し、他の画素の蛍光体の発光色と混合されて所定の色のカラー画素を構成する。
又、陽極電極１７は面電極として示してあるが、走査信号配線９と交差して画素列ごとに分割されたストライプ状電極とすることもできる。
【手続補正１９】
【補正対象書類名】明細書
【補正対象項目名】００４４
【補正方法】変更
【補正の内容】
【００４４】
この実施例１の構成であれば、スペーサ１２の低電圧側に設けた導電膜１４により高電
圧側から低電圧側にかけて放電回路が形成でき、スペーサ１２の帯電を軽減して電子軌道
を確保し、蛍光体層１５に励起に十分な電子を射突させることが出来、その結果、輝度向
上と色再現性の優れた画像表示装置を可能にした。
しかも、前記導電膜１４を接着部材１３で覆う構成とした事で、高電圧側との不要な短絡を阻止できる。更に、スパークの発生を防止でき、耐電圧特性の向上が図れる。
又、スペーサ１２の帯電防止を図ったことで、両基板１、２間の耐電圧特性を向上でき、長寿命化を可能にした。
更に、仮にスペーサ１２と走査信号配線９が部分的に電気的接続されていない箇所がある場合でも、導電膜１４を配置したことで、当該スペーサ１２と走査信号配線９の導通が安定し、スペーサ１２の高電圧側から低電圧側に通電回路が構成できる。そして、両基板１、２と支持体３で囲まれた空間を排気する工程において、陽極電極１７と走査信号配線９の間に電圧を所定時間印加することにより、導電性の接着部材１３を介して走査信号配線９と電気的に接続されている導電膜１４近傍が局部的に自己加熱状態となり、該導電膜近傍のガス放出効果を高めると共に排気中のガス放出を促進して排気効率を高める。また、排気中のガス放出である為、放出ガスの再吸着を阻止することが出来、高真空を確保して長寿命化を可能にした。
【手続補正２０】
【補正対象書類名】明細書
【補正対象項目名】００４８
【補正方法】変更
【補正の内容】
【００４８】
図７は本発明の画像表示装置に用いられるスペーサの他の例の斜視図で、前述した図と同じ部分には同一記号を付してある。
図７において、スペーサ１２は底面１２１の全長の略中央部の一部にのみ導電膜３４を
備えた構成である。
又、一点鎖線で示す構成はスペーサ１２の底面１２１の幅の一部に導電膜４４を備えた
構成である。
【手続補正２１】
【補正対象書類名】明細書
【補正対象項目名】００５７
【補正方法】変更
【補正の内容】
【００５７】
次に、スペ−サ１２の頂面１２２を前面基板２に固定してなる前面基板組立体ＦＰＡと、背面基板組立体ＢＰＡ及び支持体組立ＳＰＡの三者をＺ方向に重ね合わせてパネル仮組立体ＰＳＡとし、これをＺ方向に加圧しながら例えば４３０℃、１０分間加熱して両基板１、２と支持体３とを封着部材５で気密封着する。この気密封着と共に前記スペ−サ１２の底面１２１を導電膜１４及び接着部材１３を介して背面基板２に固定する。